(57)【要約】【課題】車両衝突時のバッテリユニットの損傷を抑制することができる車体構造を得る。【解決手段】モータユニット１６は、略車両前後方向に延設されたリヤサイドメンバ２８に取り付けられており、リヤサイドメンバ２８には、変形起点部２９が設けられている。変形起点部２９は、車両側面視にてリヤサイドメンバ２８におけるモータユニット１６に対応した部位かつリヤサイドメンバ２８の湾曲形状における頂点部近傍に設けられている。このため、変形起点部２９は、リヤサイドメンバ２８の車両前後方向外側から車両前後方向内側へ衝突荷重が入力された際に、車両上方側へ凸状に変形する。したがって、モータユニット１６は、車両後方側端部が変形起点部２９を中心に車両下方側へ回転するように変位する。これにより、モータユニット１６がバッテリユニット１４に当接するのを抑制して、車両衝突時のバッテリユニット１４の損傷を抑制することができる。【選択図】図２
2019018685.tif 000002
【特許請求の範囲】
【請求項１】
車両前部及び車両後部の少なくとも一方に設けられたパワーユニットと、
前記パワーユニットに対して車両前後方向内側に設けられたバッテリユニットと、
略車両前後方向に延設されかつ前記パワーユニットが取り付けられたサイドメンバと、
車両側面視にて前記サイドメンバにおける前記パワーユニットに対応した部位に形成されると共に、前記サイドメンバの車両前後方向外側から車両前後方向内側へ衝突荷重が入力された際に車両上方側へ凸状に変形する変形起点部と、
を有する車体構造。
【請求項２】
前記サイドメンバにおける前記変形起点部より車両前後方向内側には、他の部位よりも曲げ剛性が高められた高剛性部が設けられている、
請求項１記載の車体構造。
【請求項３】
前記変形起点部は、前記サイドメンバの車両前後方向外側から車両前後方向内側へ衝突荷重が入力された際に前記サイドメンバの車両前後方向外側の端部を車両下方側へ変位させるよう構成されている、
請求項１又は請求項２記載の車体構造。
【請求項４】
前記パワーユニットは、サスペンションメンバを介して前記サイドメンバに取り付けられていると共に、前記パワーユニットの車両前後方向内側の端部が前記サスペンションメンバにおける前記変形起点部より車両前後方向内側部に配置された部位に固定されている、
請求項１〜請求項３のいずれか一項に記載の車体構造。
【発明の詳細な説明】
【技術分野】
【０００１】
本発明は、車体構造に関する。
【背景技術】
【０００２】
下記特許文献１には、電動車両のバッテリ搭載構造が開示されている。この車両には、車室の車両下方側にバッテリユニットが設けられている。バッテリユニットは、車幅方向の端部がそれぞれ車体部材に結合されていると共に、車両前方側の端部がフロントサスペンションメンバに固定されている。これにより、バッテリユニットを利用して車体ねじり剛性が向上される。
【先行技術文献】
【特許文献】
【０００３】
【特許文献１】特開２０１２−９１６３５号公報
【発明の概要】
【発明が解決しようとする課題】
【０００４】
ところで、近年では、電動車両の航続距離を伸ばすことが求められており、これに対応するため、バッテリユニットを大型化する必要がある。この大型化に際して、車室への影響を少なくするために、バッテリユニットを車両前後方向に拡大することが考えられるが、バッテリユニットを車両前後方向に拡大させると、パワーユニットとバッテリユニットとの距離が近くなるため、車両衝突時に衝突荷重を受けて変位するパワーユニットがバッテリユニットに当接してバッテリユニットが損傷する可能性がある。上記先行技術はこの点で改良の余地がある。
【０００５】
本発明は上記事実を考慮し、車両衝突時のバッテリユニットの損傷を抑制することができる車体構造を得ることを目的とする。
【課題を解決するための手段】
【０００６】
請求項１に記載の発明に係る車体構造は、車両前部及び車両後部の少なくとも一方に設けられたパワーユニットと、前記パワーユニットに対して車両前後方向内側に設けられたバッテリユニットと、略車両前後方向に延設されかつ前記パワーユニットが取り付けられたサイドメンバと、車両側面視にて前記サイドメンバにおける前記パワーユニットに対応した部位に形成されると共に、前記サイドメンバの車両前後方向外側から車両前後方向内側へ衝突荷重が入力された際に車両上方側へ凸状に変形する変形起点部と、を有している。
【０００７】
請求項１に記載の発明によれば、車両前部及び車両後部の少なくとも一方に設けられたパワーユニットと、パワーユニットに対して車両前後方向内側に設けられたバッテリユニットとを有している。パワーユニットは、略車両前後方向に延設されたサイドメンバに取り付けられており、このサイドメンバには、変形起点部が設けられている。変形起点部は、車両側面視にてサイドメンバにおけるパワーユニットに対応した部位に形成されると共に、サイドメンバの車両前後方向外側から車両前後方向内側へ衝突荷重が入力された際に車両上方側へ凸状に変形する。したがって、サイドメンバに取り付けられたパワーユニットは、サイドメンバの変形に伴って車両後方側端部が変形起点部を中心に車両側面視にて車両下方側へ回転するように変位する。これにより、衝突荷重を受けてパワーユニットがバッテリユニット側へ変位してバッテリユニットに当接するのを抑制できると共に、サイドメンバの変形量を確保して衝突荷重を吸収することができる。このため、車体構造を簡素化することができる。
【０００８】
請求項２に記載の発明に係る車体構造は、請求項１記載の発明において、前記サイドメンバにおける前記変形起点部より車両前後方向内側には、他の部位よりも曲げ剛性が高められた高剛性部が設けられている。
【０００９】
請求項２に記載の発明によれば、サイドメンバにおける変形起点部より車両前後方向内側には、他の部位より曲げ剛性が高められた高剛性部が設けられている。したがって、サイドメンバの車両前後方向外側から車両前後方向内側へ衝突荷重が入力された場合、変形起点部に応力が集中するため、より確実に変形起点部を中心としてサイドメンバを変形させることができる。
【００１０】
請求項３に記載の発明に係る車体構造は、請求項１又は請求項２記載の発明において、前記変形起点部は、前記サイドメンバの車両前後方向外側から車両前後方向内側へ衝突荷重が入力された際に前記サイドメンバの車両前後方向外側の端部を車両下方側へ変位させるよう構成されている。
【００１１】
請求項３に記載の発明によれば、変形起点部は、サイドメンバの車両前後方向外側から車両前後方向内側へ衝突荷重が入力された際にサイドメンバの車両前後方向外側の端部を車両下方側へ変位させるように構成されている。したがって、サイドメンバに取り付けられたパワーユニットは、車両側面視にてより確実に車両下方側へ回転するように変位するため、パワーユニットがバッテリユニットに当接するのをより確実に抑制することができる。
【００１２】
請求項４に記載の発明に係る車体構造は、請求項１〜請求項３のいずれか一項に記載の発明において、前記パワーユニットは、サスペンションメンバを介して前記サイドメンバに取り付けられていると共に、前記パワーユニットの車両前後方向内側の端部が前記サスペンションメンバにおける前記変形起点部より車両前後方向内側部に配置された部位に固定されている。
【００１３】
請求項４に記載の発明によれば、パワーユニットは、サスペンションメンバを介してサイドメンバに取り付けられていると共に、パワーユニットの車両前後方向内側の端部がサスペンションメンバにおける変形起点部より車両前後方向内側に配置された部位に固定されている。したがって、サイドメンバの車両前後方向外側から車両前後方向内側へ衝突荷重が入力された場合、サイドメンバの変位によってサスペンションメンバ及びパワーユニットが変位されるが、この際、パワーユニットにおけるバッテリユニットに最も近接している車両前後方向内側の端部を略中心としてパワーユニットを車両下方側へ回転するように変位させることができる。つまり、パワーユニットの車両前後方向内側の端部が、バッテリユニット側へ略車両前後方向に沿って変位するのを抑制することができる。このため、パワーユニットとバッテリユニットとが当接するのをより一層抑制することができる。
【発明の効果】
【００１４】
請求項１記載の本発明に係る車体構造は、車両衝突時のバッテリユニットの損傷を抑制することができるという優れた効果を有する。
【００１５】
請求項２記載の本発明に係る車体構造は、車両衝突時のバッテリユニットの損傷をより抑制することができるという優れた効果を有する。
【００１６】
請求項３記載の本発明に係る車体構造は、車両衝突時のバッテリユニットの損傷をさらに抑制することができるという優れた効果を有する。
【００１７】
請求項４記載の本発明に係る車体構造は、より確実に車両衝突時のバッテリユニットの損傷を抑制することができるという優れた効果を有する。
【図面の簡単な説明】
【００１８】
【図１】一実施形態に係る車体構造を示す概略断面図である。
【図２】図１におけるＺ部を拡大して示す拡大断面図である。
【図３】一実施形態に係る車体構造におけるパワーユニットを示す斜視図である。
【発明を実施するための形態】
【００１９】
以下、図１〜図３を用いて、本発明に係る車体構造の一実施形態について説明する。なお、図１〜図３において示される矢印ＦＲは車両前後方向前側、矢印ＯＵＴは車両幅方向外側、矢印ＵＰは車両上下方向上側をそれぞれ示す。
【００２０】
図１に示されるように、車体構造１０が適用された車両１２は、後述するバッテリユニット１４から電力の供給を受けて駆動するパワーユニットとしての電動機（モータユニット１６）により走行する電気自動車であり、フロアパネル１８を備えている。フロアパネル１８に対して車両幅方向外側の両サイドには、図示しないロッカ（「サイドシル」ともいう。）が車両前後方向を長手方向として左右一対に配置されている。ロッカの上部には、フロアパネル１８の車両幅方向の端末部が一例としてスポット溶接によって接合されている。
【００２１】
車両床下、すなわちフロアパネル１８の車両下方側及び左右一対のロッカの間には、バッテリユニット１４が設けられている。バッテリユニット１４は、前端部２０がダッシュパネル２２に対応した位置に配置されていると共に、後端部２４が後述するサスペンションメンバ２６の近傍に配置された略矩形箱状に形成されている。
【００２２】
左右一対のロッカの後端部には、高剛性部としての結合部材２７を介してサイドメンバとしてのリヤサイドメンバ２８がそれぞれ結合されている。結合部材２７は、一例として鋳造により成形された金属製とされており、車両前方側の端部にロッカの後端部が結合されていると共に車両後方側の端部にリヤサイドメンバ２８の前端部が結合されている。
【００２３】
左右一対のリヤサイドメンバ２８は、略車両前後方向に沿って長尺状に形成されており、左右一対のリヤタイヤ３０の間に位置するリヤサイドメンバ前部２８Ａと、当該リヤサイドメンバ前部２８Ａの後端部から車両後方側へ延びるリヤサイドメンバ後部２８Ｂとを有している。リヤサイドメンバ前部２８Ａは、リヤタイヤ３０を内部に収める図示しないリヤホイルハウスに結合されている。
【００２４】
リヤサイドメンバ後部２８Ｂは、車両後部の床面を構成する図示しないリヤフロアパネルの車幅方向両側部に対して車両上方側に配置されかつリヤフロアパネルの上面に結合されている。
【００２５】
図２に示されるように、リヤサイドメンバ２８におけるリヤサイドメンバ前部２８Ａとリヤサイドメンバ後部２８Ｂとの間には、変形起点部２９が形成されている。この変形起点部２９は、リヤサイドメンバ２８におけるモータユニット１６に対応した位置、すなわち図中の破線に示すようにリヤサイドメンバ２８におけるモータユニット１６の車両前後方向略中央部と車両前後方向にて同一の部位に形成されている。また、リヤサイドメンバ２８は、リヤサイドメンバ前部２８Ａとリヤサイドメンバ後部２８Ｂの車両前方側の一部が、車両上方側に向かって凸状に湾曲した形状に形成されており、変形起点部２９は、このリヤサイドメンバ２８の湾曲形状における頂点部近傍に配置されている。
【００２６】
左右一対のリヤサイドメンバ２８の車両下方側かつ左右一対のリヤタイヤ３０の間には、サスペンションメンバ２６が配置されている。サスペンションメンバ２６は、図３に示されるように、サスペンションメンバ２６における変形起点部２９より車両前後方向内側部に配置された部位として車両幅方向に延在されたフロントクロスメンバ３２と、フロントクロスメンバ３２の車両幅方向両端部から車両後方側へ延在された左右一対のサイドレール３３と、左右一対のサイドレール３３の後端部同士を連結するリヤクロスメンバ３４とで、車両上方から見て中央に空間Ｓを有する略矩形状に形成されている。このサスペンションメンバ２６は、リヤサイドメンバ２８に吊り下げられた状態で支持されるようになっており、左右のリヤタイヤ３０を懸架するサスペンション、サスペンションアーム及びスタビライザ（何れも図示省略）等が取り付けられている。なお、図２に示されるように、フロントクロスメンバ３２の下端面３６は、バッテリユニット１４の下端面３８と略同一面上に配置されている。
【００２７】
サスペンションメンバ２６の空間Ｓには、モータユニット１６が配置されている。このモータユニット１６は、左右一対のサイドレール３３の間に位置すると共に、車両前方側端部（車両前後方向内側の端部）１６Ａがサスペンションメンバ２６のフロントクロスメンバ３２の上面にサスペンションメンバ２６の車両上方側から弾性部材で構成されかつ略車両上下方向を軸方向とする略円筒状の支持マウント３５を介して左右一対に取り付けられている。また、モータユニット１６は、リヤクロスメンバ３４の側面に車両前方側からブラケット及び弾性部材で構成された支持マウント（いずれも不図示）を介して取り付けられている。モータユニット１６は、図示しない出力軸を介して左右一対のリヤタイヤ３０を回転可能としている。以上の構成により、モータユニット１６は、サスペンションメンバ２６を介してリヤサイドメンバ２８に取り付けられている。
【００２８】
（第１実施形態の作用・効果）
次に、本実施形態の作用並びに効果を説明する。
【００２９】
本実施形態では、図２に示されるように、車両前部及び車両後部の少なくとも一方に設けられたモータユニット１６と、モータユニット１６に対して車両前後方向内側に設けられたバッテリユニット１４とを有している。モータユニット１６は、略車両前後方向に延設されたリヤサイドメンバ２８に取り付けられており、このリヤサイドメンバ２８には、変形起点部２９が設けられている。変形起点部２９は、車両側面視にてリヤサイドメンバ２８におけるモータユニット１６に対応した部位かつリヤサイドメンバ２８の湾曲形状における頂点部近傍に形成されている。このため、変形起点部２９は、リヤサイドメンバ２８の車両前後方向外側から車両前後方向内側へ衝突荷重が入力された際に、車両上方側へ凸状に変形する（図中太線の二点鎖線参照）。したがって、リヤサイドメンバ２８に取り付けられたモータユニット１６は、リヤサイドメンバ２８の車両上方側への凸状の変形に伴って車両後方側端部が変形起点部２９を中心に車両側面視にて車両下方側へ回転するように変位する（図中細線の二点鎖線参照）。これにより、衝突荷重を受けてモータユニット１６がバッテリユニット１４側へ変位してバッテリユニット１４に当接するのを抑制できると共に、リヤサイドメンバ２８の変形量を確保して衝突荷重を吸収することができる。このため、モータユニット１６がバッテリユニット１４側へ変位しないように剛性を高める目的で部材を追加する必要がないため、車体構造を簡素化することができる。これにより、車両衝突時のバッテリユニット１４の損傷を抑制することができる。
【００３０】
また、リヤサイドメンバ２８における変形起点部２９より車両前後方向内側には、一例として鋳造により成形された金属により構成されることで他の部位より曲げ剛性が高められた結合部材２７が設けられている。したがって、リヤサイドメンバ２８の車両前後方向外側から車両前後方向内側へ衝突荷重が入力された場合、変形起点部２９に応力が集中するため、より確実に変形起点部２９を中心としてリヤサイドメンバ２８を変形させることができる。これにより、車両衝突時のバッテリユニット１４の損傷をより抑制することができる。
【００３１】
さらに、変形起点部２９は、リヤサイドメンバ２８の湾曲形状における頂点部近傍に配置されているため、リヤサイドメンバ２８の車両前後方向外側から車両前後方向内側へ衝突荷重が入力された際にリヤサイドメンバ２８の車両前後方向外側の端部を車両下方側へ変位させる（図中太線の二点鎖線参照）。したがって、リヤサイドメンバ２８に取り付けられたモータユニット１６は、車両側面視にてより確実に車両下方側へ回転するように変位するため、モータユニット１６がバッテリユニット１４に当接するのをより確実に抑制することができる。これにより、車両衝突時のバッテリユニット１４の損傷をさらに抑制することができる。
【００３２】
さらにまた、モータユニット１６は、車両前後方向内側の端部１６Ａがリヤサイドメンバ２８における変形起点部２９より車両前後方向内側に配置されているサスペンションメンバ２６のフロントクロスメンバ３２に固定されている。したがって、リヤサイドメンバ２８の車両前後方向外側から車両前後方向内側へ衝突荷重が入力された場合、モータユニット１６におけるバッテリユニット１４に最も近接している車両前後方向内側の端部１６Ａを略中心としてモータユニット１６を車両下方側へ回転するように変位させることができる。つまり、モータユニット１６の車両前後方向内側の端部１６Ａが、バッテリユニット１４側へ略車両前後方向に沿って変位するのを抑制することができる。このため、モータユニット１６とバッテリユニット１４とが当接するのをより一層抑制することができる。これにより、より確実に車両衝突時のバッテリユニット１４の損傷を抑制することができる。
【００３３】
なお、上述した実施形態では、車両１２の車両後部、すなわち左右一対のリヤタイヤ３０の間にモータユニット１６が設けられた構成とされているが、これに限らず、車両前部（一例として図１に示される左右一対のフロントタイヤ６８の間）に設けられるサイドメンバとしてのフロントサイドメンバ（不図示）にモータユニット１６を取り付けて、このサイドメンバにおけるモータユニット１６に対応した位置に変形起点部２９を設けた構成としてもよい。
【００３４】
また、結合部材２７は,鋳造により成形された金属に限らず、ハイテン材等の変形し難い材料にて構成されていてもよい。 
【００３５】
さらに、変形起点部２９は、リヤサイドメンバ２８の一部に形成されている車両上方側に向かって凸状に湾曲した部位の頂点部近傍に配置されている。これにより、リヤサイドメンバ２８の車両前後方向外側から車両前後方向内側へ衝突荷重が入力された際に変形起点部２９がリヤサイドメンバ２８の車両前後方向外側の端部を車両下方側へ変位させる構成とされているが、これに限らず、変形起点部２９においてリヤサイドメンバ２８の車両上方側と車両下方側との板厚をそれぞれ変化させることで、上記衝突荷重が入力された際に変形起点部２９がリヤサイドメンバ２８の車両前後方向外側の端部を車両下方側へ変位させる構成としてもよい。また、変形起点部２９においてリヤサイドメンバ２８に切り欠き等の応力集中部位を形成することで、上記衝突荷重が入力された際に変形起点部２９がリヤサイドメンバ２８の車両前後方向外側の端部を車両下方側へ変位させる構成としてもよい。
【００３６】
以上、本発明の実施形態について説明したが、本発明は、上記に限定されるものでなく、その主旨を逸脱しない範囲内において上記以外にも種々変形して実施することが可能であることは勿論である。
【符号の説明】
【００３７】
１０   車体構造
１４   バッテリユニット
１６   モータユニット（パワーユニット）
１６Ａ 端部（パワーユニットの車両前後方向内側の端部）
２７   結合部材（高剛性部）
２８   リヤサイドメンバ（サイドメンバ）
２９   変形起点部
【図１】
2019018685.tif 000003
【図２】
2019018685.tif 000004
【図３】
2019018685.tif 000005